(57)【要約】【課題】中空木材を用いた木造建築物における木材同士の軸組構造に関するものであり、土台と中空木材からなる柱、中空木材からなる柱と梁の接合部において、木材のめりこみや割裂するの防止した軸組構造を提供し、中空木材の軸組でラーメン構造形式の軸組を容易に構築できるようにした木造建築の軸組構造を提供する。【解決手段】中空木材の柱のに中空孔より内径の大きなパイプ状のソケット埋め込み用の縦孔を穿設し、また、土台や梁に横孔を穿設して中空木材の柱と土台や配の接合部を構成し、該縦孔や横孔にパイプ状ソケットを埋め込んで接着剤にて固着して接手受け部を構成し、該接手受け部となるソケットの端部はパイプ状の接続ソケットの嵌合用開口と該縁部にジョイント接合面を形成し、該接合部はジョイント接合面同士やパイプ状接続ソケットが介在して柱と土台や梁の木材同士が剛接合されるよう構成し、前記、中空木材の柱と土台や柱と梁を接合するために柱の中空孔に挿通され土台や梁のソケットを連通する連結ボルトを用いた軸組構造。【選択図】図５
2007009417.tif 000002
【特許請求の範囲】
【請求項１】
木材の芯部に中空孔を有する中空木材からなる柱の木口面と土台または梁の四方面の接合において、
前記中空木材の柱の木口面に中空孔より内径の大きなパイプ状のソケット埋め込み用の縦孔を穿設し、また、土台や梁の四方面に横孔を穿設して中空木材の柱と土台や梁の接合部を構成し、
該縦孔や横孔にパイプ状ソケットを埋め込んで接着剤にて固着して接手受け部を構成し、
該接手受け部となるソケットの端部はパイプ状の接続ソケットの嵌合用開口と該縁部にジョイント接合面を形成し、
該接合部はジョイント接合面同士やパイプ状接続ソケットが介在して中空木材の柱と土台や梁の木材同士が剛接合されるよう構成し、
前記、中空木材の柱と土台や柱と梁を接合するために柱の中空孔に挿通され土台や梁のソケットを連通する連繋ボルト等の連結手段を設け、
該連結手段の連繋ボルト両端部の内、土台側は建物の基礎に植設されたアンカーボルトに連結し、梁上部においては前記パイプ状ソケットのジョイント接合面に当接する座金とナットからなる緊締金具に螺着して前記土台と中空木材からなる柱、並びに梁を緊締する構成としていること、
を特徴とする木造建築物の軸組構造。
【請求項２】
木材の芯部に中空孔を有する中空木材からなる柱の木口面と土台または梁の四方面の接合において、
前記中空木材の柱の木口面に中空孔より内径の大きなパイプ状のソケット埋め込み用の縦孔を穿設し、また、土台や梁の四方面に横孔を穿設して中空木材の柱と土台や梁の接合部を構成し、
該縦孔や横孔にパイプ状ソケットを埋め込んで接着剤にて固着して接手受け部を構成し、
該接手受け部となるソケットの端部はパイプ状の接続ソケットの嵌合用開口と該縁部にジョイント接合面を形成し、
該接合部はジョイント接合面同士やパイプ状接続ソケットの外周部に設けられた鍔部が介在して中空木材の柱と土台や梁の木材同士が剛接合されるよう構成し、
前記、中空木材の柱と土台や柱と梁を接合するために柱の中空孔に挿通され土台や梁のソケットを連通する連繋ボルト等の連結手段を設け、
該連結手段の連繋ボルト両端部の内、土台側は建物の基礎に植設されたアンカーボルトに連結し、梁上部においては前記パイプ状ソケットのジョイント接合面に当接する座金とナットからなる緊締金具に螺着して前記土台と中空木材からなる柱、並びに梁を緊締する構成としていること、
を特徴とする木造建築物の軸組構造。
【請求項３】
前記中空木材の中空孔に挿通される連繋ボルトは土台と中空木材からなる柱、並びに中空木材からなる柱と梁の接合部において高ナットによりジョイントして連結可能にしていること、
を特徴とする請求項１または請求項２の何れかに記載の木造建築物の軸組構造。
【請求項４】
前記パイプ状接続ソケットは長手方向に切欠部が設けられており、
前記中空木材の中空孔に挿通される連繋ボルトが、既に土台と中空木材からなる柱、並びに中空木材からなる柱と梁の接合部において連繋して挿通している場合にあっても該それぞれの接合部に挿着でき、土台と中空木材からなる柱、並びに中空木材からなる柱と梁の接合部の接続が可能に構成していること、
を特徴とする請求項１乃至請求項３の何れかに記載の木造建築物の軸組構造。
【請求項５】
前記中空木材の柱の木口面に中空孔より内径の大きなパイプ状のソケット埋め込み用の縦孔を穿設し、また、土台や梁の四方面に横孔を穿設して中空木材の柱と土台や梁の接合部を構成し、
該縦孔や横孔にパイプ状ソケットを埋め込んで接着剤にて固着して接手受け部を構成し、
該接手受け部となるソケットの端部はパイプ状の接続ソケットの嵌合用開口と該縁部にジョイント接合面を形成し、
該ジョイント接合面は相対向する面で凹凸部を設け土台または柱、或いは柱または梁どちらかが木口面または四方面よりセットバックして設け、
該セットバックされた凹部に対し他のジョイント接合面は突設して設けられており、
前記凹凸部で互いにソケットが接続ソケットにてジョイントされて嵌合していること、
を特徴とする請求項１乃至請求項４の何れかに記載の木造建築物の軸組構造。
【請求項６】
前記木口面または四方面よりセットバックして設けられた凹部に前記パイプ状接続ソケットの外周部に設けられた鍔部が嵌合して中空木材の柱と土台や梁の木材同士が剛接合しているよう構成すること、
を特徴とする請求項２乃至請求項４の何れかに記載の木造建築物の軸組構造。
【請求項７】
前記パイプ状のソケット並びにパイプ状接続ソケットは鋼製パイプの削りだし加工、鋳鉄製の鋳物、ステンレスのロストワックス、アルミダイキャスト、繊維強化プラスチック、等にて製作されること、
を特徴とする請求項１乃至請求項５の何れかに記載の木造建築物の軸組構造。
【発明の詳細な説明】
【技術分野】
【０００１】
本発明は、木造建築物の軸組構造に関するもので、本発明は、特に中空木材を用いた木造建築物の軸組構造に関するものである。
【背景技術】
【０００２】
従来、木造建築物に使用される軸組の接合部は、めりこみや割裂が生じやすく、貫（ぬき）や差し鴨居、足固め、或いは筋違い、耐力壁を用いた方法等により補強しながら建物の軸組を構築していた。
【０００３】
而して、特許文献１（特公平５−４００９９号公報）や特許文献２（特公平７−８１３２７号公報）においては、柱や梁の接合部に孔をあけて異形鉄筋を挿入し、次いで接着剤を充填して、該接着剤の硬化により剛接合するジョイント方法が提案され、前記筋違いや耐力壁を必要としない木質ラーメン構造の構築が可能となってきた。
【０００４】
然しながら、前記、異形鉄筋を接合部に介在せしめた接着工法は、建築現場に於いて、柱や梁の接合部に異形鉄筋を挿入して接着剤を充填し硬化させるもので、例えば、特許文献３（特開平７−６２８７８号公報）の如く、建築現場に於いては、木製柱部材と梁部材との鉄筋剛接合部養生を確実に行うための組立保持装置等が必要とされるように、施工効率の悪さや、施工品質のバラツキが出る欠点が懸念されている。
【０００５】
また、従来の異形鉄筋を接合部に介在せしめた接着工法は、剛接合によって高い耐力を得ることができるようになったが、該従来工法は、建築現場での施工による施工品質の悪さに加え、柱や梁等の木材には強度特性にバラツキがあることから、木材同士の接合部分に木材のめり込みが生じ接合部の破壊により構造全体が破壊に至る可能性がある。
【０００６】
斯くして、木材を人工乾燥により短時間で最適乾燥させ、該木材の強度特性を均一化する中空木材の乾燥装置が、特許文献４（特許第３６０２９２１号公報）に開示されている。
そして、特許文献５（特許第３６３５５２０号公報）には、中空木材を用いた木材用の接手、及び同接手を用いた木材の接合方法が開示されている。
【０００７】
特許文献５（特許第３６３５５２０号公報）は、木材用接手を用いて柱材と梁材等の材木同士を接合する場合において、柱材の繊維方向と直交方向に穿設した横断孔には外部側にボルト挿通用凹部を設け、また前記梁材の木口と接合する側には前記横断孔内に挿通され埋没するパイプ状の接手本体を設け、該パイプ状の接手本体を梁との接合部側で端面を露出させた状態で前記横断孔内に接着剤で固着し、更に前記梁材の木口面から略軸心方向に穿設された縦断孔内には前記同様のパイプ状の接手本体を挿通して埋没せしめ、該パイプ状の接手本体の端面を露出させた状態で接着剤にて固着し、該柱材と梁材の材木同士を接合するためにパイプ状接手本体の前記端部同士を突き合わせた状態で横断孔のボルト挿通用凹部を設けた外部側からパイプ状接手本体の内部を挿通するボルトからなる連通手段を設け、該連結手段のボルト先端部を前記縦断孔側のパイプ状接手本体の内周面に形成した雌ねじからなる緊締金具に螺着して前記柱材と梁材を緊締する構成としたことを特徴とするものである。
【０００８】
そして、特許文献５（特許第３６３５５２０号公報）の要旨は、梁材の木口面から略軸心方向に穿設された縦断孔内には前記同様のパイプ状の接手本体を挿通して埋没せしめ、該パイプ状の接手本体の端面を露出させた状態で接着剤にて固着し、該柱材と梁材の材木同士を接合するためにパイプ状接手本体の前記端部同士を突き合わせた状態で横断孔のボルト挿通用凹部を設けた外部側からパイプ状接手本体の内部を挿通するボルトからなる連通手段を設け、該連結手段のボルト先端部を前記縦断孔側のパイプ状接手本体の内周面に形成した雌ねじからなる緊締金具に螺着して前記柱材と梁材を緊締する剛接合構造としたものである。
【０００９】
斯くして、前記 特許文献５（特許第３６３５５２０号公報）の欠点は、剛接合面がパイプ状の接手本体の端面の露出した端部同士の接合で、該接合面は地震等により大きな力が加わると互いにずれてしまい剛接合が破壊してしまって建物が倒壊してしまうおそれがある。
【特許文献１】特公平５−４００９９号公報
【特許文献２】特公平７−８１３２７号公報
【特許文献３】特開平７−６２８７８号公報
【特許文献４】特許第３６０２９２１号公報
【特許文献５】特許第３６３５５２０号公報
【発明の開示】
【発明が解決しようとする課題】
【００１０】
本発明が、解決しようとする課題は、木材を人工乾燥により短時間で最適乾燥させ、該木材の強度特性を均一化できる中空木材の利用範囲を拡大するために、中空木材の柱と土台、そして梁を貫通するボルト等の連結手段を用いた軸構造において、地震等により大きな力が加わっても接合部がずれて剛接合が損傷することのない木軸構造を提供する。
【課題を解決するための手段】
【００１１】
本発明の第１の要旨は、木材の芯部に中空孔を有する中空木材からなる柱の木口面と土台または梁の四方面の接合において、前記中空木材の柱の木口面に中空孔より内径の大きなパイプ状のソケット埋め込み用の縦孔を穿設し、また、土台や梁の四方面に横孔を穿設して中空木材の柱と土台や梁の接合部を構成し、該縦孔や横孔にパイプ状ソケットを埋め込んで接着剤にて固着して接手受け部を構成し、該接手受け部となるソケットの端部はパイプ状の接続ソケットの嵌合用開口と該縁部にジョイント接合面を形成し、該接合部はジョイント接合面同士やパイプ状接続ソケットが介在して中空木材の柱と土台や梁の木材同士が剛接合されるよう構成し、前記、中空木材の柱と土台や柱と梁を接合するために柱の中空孔に挿通され土台や梁のソケットを連通する連繋ボルト等の連結手段を設け、該連結手段の連繋ボルト両端部の内、土台側は建物の基礎に植設されたアンカーボルトに連結し、梁上部においては前記パイプ状ソケットのジョイント接合面に当接する座金とナットからなる緊締金具に螺着して前記土台と中空木材からなる柱、並びに梁を緊締する構成を特徴とする。
【００１２】
本発明の第２の要旨は、木材の芯部に中空孔を有する中空木材からなる柱の木口面と土台または梁の四方面の接合において、前記中空木材の柱の木口面に中空孔より内径の大きなパイプ状のソケット埋め込み用の縦孔を穿設し、また、土台や梁の四方面に横孔を穿設して中空木材の柱と土台や梁の接合部を構成し、該縦孔や横孔にパイプ状ソケットを埋め込んで接着剤にて固着して接手受け部を構成し、該接手受け部となるソケットの端部はパイプ状の接続ソケットの嵌合用開口と該縁部にジョイント接合面を形成し、該接合部はジョイント接合面同士やパイプ状接続ソケットの外周部に設けられた鍔部が介在して中空木材の柱と土台や梁の木材同士が剛接合されるよう構成し、前記、中空木材の柱と土台や柱と梁を接合するために柱の中空孔に挿通され土台や梁のソケットを連通する連繋ボルト等の連結手段を設け、該連結手段の連繋ボルト両端部の内、土台側は建物の基礎に植設されたアンカーボルトに連結し、梁上部においては前記パイプ状ソケットのジョイント接合面に当接する座金とナットからなる緊締金具に螺着して前記土台と中空木材からなる柱、並びに梁を緊締する構成を特徴としている。
【００１３】
また、本発明において、前記中空木材の中空孔に挿通される連繋ボルトは、土台と中空木材からなる柱、並びに中空木材からなる柱と梁の接合部において高ナットによりジョイントして連結可能にしていることを要旨としている。
【００１４】
また、本発明において、前記パイプ状接続ソケットは、長手方向に切欠部が設けられており、前記中空木材の中空孔に挿通される連繋ボルトが、既に土台と中空木材からなる柱、並びに中空木材からなる柱と梁の接合部において連繋して挿通している場合にあっても該それぞれの接合部に挿着でき、土台と中空木材からなる柱、並びに中空木材からなる柱と梁の接合部の接続が可能に構成していることを要旨としている。
【００１５】
また、本発明は、前記中空木材の柱の木口面に中空孔より内径の大きなパイプ状のソケット埋め込み用の縦孔を穿設し、また、土台や梁の四方面に横孔を穿設して中空木材の柱と土台や梁の接合部を構成し、該縦孔や横孔にパイプ状ソケットを埋め込んで接着剤にて固着して接手受け部を構成し、該接手受け部となるソケットの端部はパイプ状の接続ソケットの嵌合用開口と該縁部にジョイント接合面を形成し、該ジョイント接合面は相対向する面で凹凸部を設け土台または柱、或いは柱または梁どちらかが木口面または四方面よりセットバックして設け、該セットバックされた凹部に対し他のジョイント接合面は突設して設けられており、前記凹凸部で互いにソケットが接続ソケットにてジョイントされて嵌合していることを要旨としている。
【００１６】
また、前記木口面または四方面よりセットバックして設けられた凹部に前記パイプ状接続ソケットの外周部に設けられた鍔部が嵌合して中空木材の柱と土台や梁の木材同士が剛接合しているよう構成することを要旨としている。
【００１７】
更にまた、本発明において、前記パイプ状のソケット、並びにパイプ状接続ソケットは、鋼製パイプの削りだし加工、鋳鉄製の鋳物、ステンレスのロストワックス、アルミダイキャスト、繊維強化プラスチック、等にて製作されることを特徴としている。
【発明の効果】
【００１８】
而して、本発明は、木材を人工乾燥により短時間で最適乾燥させ、該木材の強度特性を均一化できる中空木材の利用範囲を拡大することができ、中空木材の柱と土台、そして梁を貫通する連繋ボルト等の連結手段を用いた軸構造において、地震等により大きな力が加わっても接合部がずれて剛接合が損傷することのない木造建築物の軸組構造を提供することができた。
【００１９】
また、本発明は、木造建築における木材同士の接合部構造、即ち、柱と土台、柱と梁の接合部において、木材のめりこみや割裂するの防止した接手と軸組構造を提供でき、該接手と軸組構造は、木造の軸組でラーメン構造形式の軸組を容易に構築できるようにした木造建築物の軸組構造を提供することができた。
【００２０】
また、本発明は、中空木材の接合部にそれぞれ工場にてパイプ状ソケットを埋め込み加工し、該ソケットを接着剤にて接着して養生する。そして、十分に養生された中空木材は建築現場に搬入され、接続トソケットを介して、連繋ボルトにて軸組されるもので、特許文献１乃至特許文献３に比較して、現場での施工効率が向上し、接着剤の充填、柱や梁の保持固定や養生等、建築現場で一番厄介な作業をなくし、施工品質のバラツキをなくすことができる木造建築物の軸組構造を提供するという利点がある。
【発明を実施するための最良の形態】
【００２１】
本発明は、木材の芯部に中空孔を有する中空木材からなる柱の木口面と土台または梁の四方面の接合において、前記中空木材の柱の木口面に中空孔より内径の大きなパイプ状のソケット埋め込み用の縦孔を穿設し、また、土台や梁の四方面に横孔を穿設して中空木材の柱と土台や梁の接合部を構成し、該縦孔や横孔にパイプ状ソケットを埋め込んで接着剤にて固着して接手受け部を構成し、該接手受け部となるソケットの端部はパイプ状の接続ソケットの嵌合用開口と該縁部にジョイント接合面を形成し、該接合部はジョイント接合面同士やパイプ状接続ソケットが介在して中空木材の柱と土台や梁の木材同士が剛接合されるよう構成し、
前記、中空木材の柱と土台や柱と梁を接合するために柱の中空孔に挿通され土台や梁のソケットを連通する連繋ボルト等の連結手段を設け、該連結手段の連繋ボルト両端部の内、土台側は建物の基礎に植設されたアンカーボルトに連結し、梁上部においては前記パイプ状ソケットのジョイント接合面に当接する座金とナットからなる緊締金具に螺着して前記土台と中空木材からなる柱、並びに梁を緊締する構成が好ましい。
【００２２】
また、本発明は、木材の芯部に中空孔を有する中空木材からなる柱の木口面と土台または梁の四方面の接合において、前記中空木材の柱の木口面に中空孔より内径の大きなパイプ状のソケット埋め込み用の縦孔を穿設し、また、土台や梁の四方面に横孔を穿設して中空木材の柱と土台や梁の接合部を構成し、該縦孔や横孔にパイプ状ソケットを埋め込んで接着剤にて固着して接手受け部を構成し、該接手受け部となるソケットの端部はパイプ状の接続ソケットの嵌合用開口と該縁部にジョイント接合面を形成し、該接合部はジョイント接合面同士やパイプ状接続ソケットの外周部に設けられた鍔部が介在して中空木材の柱と土台や梁の木材同士が剛接合されるよう構成し、前記、中空木材の柱と土台や柱と梁を接合するために柱の中空孔に挿通され土台や梁のソケットを連通する連繋ボルト等の連結手段を設け、該連結手段の連繋ボルト両端部の内、土台側は建物の基礎に植設されたアンカーボルトに連結し、梁上部においては前記パイプ状ソケットのジョイント接合面に当接する座金とナットからなる緊締金具に螺着して前記土台と中空木材からなる柱、並びに梁を緊締する構成としていることが好ましい。
【００２３】
また、本発明においては、前記中空木材の中空孔に挿通される連繋ボルトは、土台と中空木材からなる柱、並びに中空木材からなる柱と梁の接合部において高ナットによりジョイントして連結可能にしていることが好ましい。
【００２４】
また、本発明において、前記パイプ状接続ソケットは、長手方向に切欠部が設けられており、前記中空木材の中空孔に挿通される連繋ボルトが、既に土台と中空木材からなる柱、並びに中空木材からなる柱と梁の接合部において連繋して挿通している場合にあっても該それぞれの接合部に挿着でき、土台と中空木材からなる柱、並びに中空木材からなる柱と梁の接合部の接続が可能に構成していることが好ましい。
【００２５】
また、本発明は、前記中空木材の柱の木口面に中空孔より内径の大きなパイプ状のソケット埋め込み用の縦孔を穿設し、また、土台や梁の四方面に横孔を穿設して中空木材の柱と土台や梁の接合部を構成し、該縦孔や横孔にパイプ状ソケットを埋め込んで接着剤にて固着して接手受け部を構成し、該接手受け部となるソケットの端部はパイプ状の接続ソケットの嵌合用開口と該縁部にジョイント接合面を形成し、該ジョイント接合面は相対向する面で凹凸部を設け土台または柱、或いは柱または梁どちらかが木口面または四方面よりセットバックして設け、該セットバックされた凹部に対し他のジョイント接合面は突設して設けられており、前記凹凸部で互いにソケットが接続ソケットにてジョイントされて嵌合していることが好ましい。
【００２６】
また、前記木口面または四方面よりセットバックして設けられた凹部に前記パイプ状接続ソケットの外周部に設けられた鍔部が嵌合して中空木材の柱と土台や梁の木材同士が剛接合しているよう構成することが好ましい。
【００２７】
更にまた、前記パイプ状のソケット並びにパイプ状接続ソケットは鋼製パイプの削りだし加工、鋳鉄製の鋳物、ステンレスのロストワックス、アルミダイキャスト、繊維強化プラスチック、等にて製作されること、が好ましい。
【実施例１】
【００２８】
図１乃至図６は、本発明の実施例１を説明するもので、図１は、本発明の木軸構造の組立例を示す正面図、図２は、実施例１に用いられる土台、柱、梁を緊締するボルト・ナットの説明図、図３は実施例１にもちいられるソケットの形状を示す断面図、図４は実施例１における木軸構造の組立例を説明する縦断面図、図５は土台と柱の接合部を説明する拡大断面図、図６は柱と梁の接合部を説明する拡大断面図である。
【００２９】
図１乃至図６において、１a、１ｂは中空木材からなる柱、２は中空木材の柱１a、１ｂの芯部にそれぞれ穿設された中空孔、３は土台、４は梁、５は基礎、６は基礎５に植設されたアンカーボルト、７はジョイント用の高ナット、８は連繋ボルト、９は座金、１０は緊締用ナット、１１は土台３を直接基礎５に触れずに載置するために設置されるねこ土台、１２a、１２ｂ、１２ｃ、１２ｄは土台３、柱１a、１ｂ、並びに梁４等にそれぞれの接合部１３並びにジョイント接合面１３a、１３ｂを構成するソケットである。
【００３０】
そして、実施例１は、図１において、中空木材からなる二本の柱１a、１ｂの軸材を土台３上に建て、上部に梁４を組み上げる骨組み構造物を構築するもので、土台３と中空木材からなる柱１a、１ｂ、並びに中空木材からなる柱１a、１ｂと梁４の接合部１３に、それぞれソケット１２a、１２ｂ、１２ｃ、１２ｄを埋め込んで接手受け部１４を構成し、該接手受け部１４に接続ソケット１５（図３に示す）を嵌着して接合部１３を剛節に構成し、且つ、土台３や、柱１aと梁４間をアンカーボルト６と連繋ボルト８にて緊締することで、ラーメン構造の軸組みを提供するものである。
【００３１】
上記実施例１において、中空孔２を有する中空木材の柱１a、１ｂは、中空孔２を穿設することにより木材を人工乾燥機により短時間で最適乾燥させ、該木材の強度特性を均一化したものであり、実施例１では、前記中空木材の柱１a、１ｂ等に穿設された中空孔２をアンカーボルト６と連繋ボルト８の挿通孔として用い、接合部１３を構成するソケット１２ｂ、１２ｃは、前記中空孔２の内径を広げて嵌着され、接着剤にて固着されている。
【００３２】
また、実施例１においては、柱１a、１ｂのみが中空孔２を有する中空木材となつているが、本発明では、土台３、梁４ともに中空木材で強度特性が人工的に均一化されている木材を用いられることは、当然のことである。
【００３３】
図２は、実施例１における、土台３、中空木材からなる柱１a、１ｂ、梁４を両端部にて緊締するアンカーボルト６と連繋ボルト８の形状例を示すもので、該アンカーボルト６と連繋ボルト８は、任意個所でジョイント用の高ナット７にて接続でき、その上端部で座金９を介して緊締ナット１０にて全体を緊締できるもので、途中、何回か使用勝手によりボルト８は、ジョイント用の高ナット７を介してジョイントすることが可能であり、同様の手順にて、前記梁４の上に支柱１a、１ｂ等を建て、梁４を横架すれば２階建てが提供できる。
【００３４】
斯くして、図３は、同一形状の前記ソケット１２a、１２ｂ、１２ｃ、１２ｄの形状を示す断面図、図４は、柱１a、土台３、梁４の断面図を用いて、ソケット１２a、１２ｂ、１２ｃ、１２ｄが形成する接合部１３の形状を示し、更に、図５並びに図６は、ソケット１２a、１２ｂ、１２ｃ、１２ｄと接続ソケット１４の拡大断面図にて接合部１３の形状を説明する。
【００３５】
図３において、同一形状のソケット１２a、１２ｂ、１２ｃ、１２ｄは、それぞれパイプ状筒体からなり、該パイプ状筒体の両端部１６a、１６ｂには、接続ソケット１５の嵌合用開口１７a、１７ｂを有しており、該開口縁部は、ジョイントの接合面１３a、１３ｂが形成されている。
また、１８は接着剤導入間隙を形成するために開口縁部の外径より小さくした部分で、該接着剤導入間隙１８に導入される接着剤は、ソケット１２a、１２ｂ、１２ｃ、１２ｄをそれぞれ、図４の如く柱１aに穿設された縦孔１９や、土台３や梁４に穿設された横孔２０に埋め込み接着して固着してそれぞれ接手受け部１４を形成するものである。
【００３６】
また、図５は土台３と柱１aの接合部１３とジョイント接合面１３a、１３ｂを説明する拡大断面図であり、図６は柱１aと梁４の接合部１３を説明する拡大断面図である。
【００３７】
図５、並びに図６は、ソケット１２a、１２ｂ、１２ｃ、１２ｄと接続ソケット１５の縦断面形状を示しており、該接続ソケット１５は、肉厚の比較的大きなパイプ形状体からなり、中央を境に両端部に向かって少しテーパー状に形成されいて、前記ソケット１２a、１２ｂ、１２ｃ、１２ｄからなる接手受け部１４にそれぞれ嵌着されて接合部１３を剛接合する役割を有している。
【００３８】
斯くして、ソケット１２a、１２ｂ、１２ｃ、１２ｄは、工場において木軸材、即ち、柱１aの両端の木口面２１に縦孔１９を穿設し、また、土台３や梁４の四方面２２には横孔２０をそれぞれ穿設してソケット１２a、１２ｂ、１２ｃ、１２ｄを埋め込み、接着剤にて固着して、土台３や柱１aのジョイント接合面１３a、１３ｂを形成し、或いは柱１aと梁４のジョイント接合面１３a、１３ｂを形成して建築現場に搬入される。
【００３９】
また、建築現場に搬入された前記柱１a、土台３、梁４の木軸材は、接続ソケット１４にて、各接合部１３を接合され、前記アンカーボルト６と連繋ボルト８により、両端部で緊締される木軸構造が構成される。
【００４０】
斯くして、図５は、土台３の四方面２２に穿設された横孔２０に固着されたソケット１２aに接続ソケット１５の下部を嵌挿した後、アンカーボルト６と、既に柱１aの中空孔２に挿通された連繋ボルト８を高ナット７にて固着して、前記接続ソケット１５の上部に柱１aの縦孔１９に固着されているソケット１２ｂを接合し、該パイプ状の接続ソケット１５内を貫通したアンカーボルト６とボルト８により柱１aと土台３が緊締されて固着されている。
【００４１】
また、図６は、柱１aと梁４との関係を示すもので、柱１aの木口面２１に穿設された縦孔１９にソケット１２ｃが固着されており、梁４の四方面２２に穿設された横孔２０にはソケット１２ｄが固着されていて、該ソケット１２ｃとソケット１２ｄを接続ソケット１５で連結している。
【００４２】
而して、実施例１は、木材の芯部に中空孔２を有する中空木材からなる柱1aの木口面２０と土台３または梁４の四方面２２の接合において、前記中空木材の柱1aの木口面２１に中空孔２より内径の大きなパイプ状のソケット埋め込み用の縦孔１９を穿設し、また、土台３や梁４の四方面２２に横孔２０を穿設して中空木材の柱1a、１ｂ等と土台３や梁４のジョイント接合部１３a、１３ｂを構成し、該縦孔１９や横孔２０にパイプ状のソケット１２a、１２ｂ、１２ｃ、１２ｄを埋め込んで接着剤にて固着して接手受け部１４を構成した。
【００４３】
そして、前記接手受け部１４となるソケット１２a、１２ｂ、１２ｃ、１２ｄの端部はパイプ状の接続ソケット１５の嵌合用開口１７a、１７ｂと該縁部にジョイントの接合面１３a、１３ｂを形成し、該接合部１３のジョイント接合面１３a、１３ｂ同士にはパイプ状接続ソケット１５が介在して中空木材の柱１aと土台３や梁４の木材同士が接合部１３を介して剛接合されるよう構成した。
【００４４】
また、前記、中空木材の柱１aと土台３や、柱１aと梁４を接合するために柱１aの中空孔２に挿通され土台３や梁４のソケット１２a、１２ｄを連通する連繋ボルト８等の連結手段を設け、該連結手段の連繋ボルト８両端部の内、土台３側は建物の基礎５に植設されたアンカーボルト６に連結固定され、梁４上部においては前記パイプ状のソケット１２ｄの接合部１３に当接する座金９とナット１０からなる緊締金具に螺着して前記土台３と中空木材からなる柱１a、並びに梁４を緊締する構成とした。
【００４５】
斯くして、実施例１において、中空木材の中空孔２に挿通される連繋ボルト８は、土台３と中空木材からなる柱１a、並びに中空木材からなる柱１aと梁４の接合部１３において、高ナット７によりジョイントして連結可能となし、途中、使用勝手によりボルト８はジョイント用の高ナット７を介して何回かジョイントすることが可能であり、同様の手順にて、前記梁４の上に支柱１a、１ｂ等を建て、梁４を横架すれば２階建てが提供できる。
【実施例２】
【００４６】
図７は、実施例２の説明図で、図において、図１乃至図６と同一構成要素は同一符号ににて示している。
図７において、１aは中空孔２を有する柱、３は土台、５は基礎、１１はねこ土台、６はアンカーボルト、７は高ナット、８は連繋ボルト、１２aは前記土台３の四方面２２に穿設された横孔２０に嵌着され接着剤にて固着されているソケット、１２ｂは柱１aに穿設された縦孔１９に嵌着され接着剤にて固着されているソケットを示しており、該接ぎ手受け部となるソケット１２ｂの端部には接続ソケット１５の鍔部嵌合用の凹部２３が設けられている。
【００４７】
而して実施例２の接続ソケット１５の形状は、その中央部に他の外径よりも大きい鍔部２４が設けられており、土台３と柱１aの接合部１３aと１３ｂは該鍔部２４が前記ソケット１２ｂの端部に設けられた凹部２３に嵌合して、鍔部２４が介在した形で柱１aと土台３を剛接合している。
【００４８】
また、前記接続ソケット１５は、その長手方向に切欠部２５が設けられており、
前記柱１aの中空孔２に挿通される連繋ボルト８が、既に土台３と柱１aの接合部１３において連繋して挿通されている場合にあっても、該それぞれの接合部１３に接続ソケット１５を挿着でき、土台３と中空木材からなる柱１aとの接合部１３での接続が可能に構成されてている。
【００４９】
斯くして、本発明の実施例２においては、木材の芯部に中空孔２を穿設した中空木材からなる柱１aの木口面２１と土台３または梁４の四方面２２の接合において、前記中空木材の柱１aの木口面２１に中空孔２より内径の大きなパイプ状のソケット１２a、１２ｂ、１２ｃ、１２ｄの埋め込み用の縦孔１９を穿設し、また、土台３や梁４の四方面２２に横孔２０を穿設して柱１aと土台３や梁４の接合部１３を構成し、該縦孔１９や横孔２０にパイプ状のソケット１２a、１２ｂ、１２ｃ、１２ｄを埋め込んで接着剤にて固着して接手受け部１４を構成し、
該接手受け部１４となるソケット１２a、１２ｂ、１２ｃ、１２ｄの端部はパイプ状の接続ソケット１５の嵌合用開口１７a、１７ｂと、該縁部にジョイントの接合部１３を形成し、該接合部１３はジョイント接合面１３同士やパイプ状の接続ソケット１５の外周部に設けられた鍔部２４が介在して柱１aと土台３や梁４の木材同士が剛接合されるよう構成した。
【００５０】
そして、前記、柱１aと土台３や、柱１aと梁４を接合するために柱１aの中空孔２に挿通され土台３や梁４のソケット１２a、１２ｄを連通する連繋ボルト８等の連結手段を設け、該連結手段の連繋ボルト８両端部の内、土台３側は建物の基礎５に植設されたアンカーボルト６に連結し、梁４上部においては前記パイプ状のソケットのジョイント接合部１３に当接する座金９とナット１０からなる緊締金具に螺着して前記土台３と中空木材からなる柱１a、並びに梁４を緊締する構成とした。
【００５１】
また、実施例２において、前記パイプ状の接続ソケット１５は長手方向に切欠部２５が設けられており、前記柱１aの中空孔２に挿通される連繋ボルト８が、既に土台３と柱１a、並びに柱１aと梁４の接合部１３において連繋して挿通している場合にあっても、該それぞれの接合部１３に挿着でき、土台３と柱１a、並びに柱１aと梁４の接合部１３の接続が可能に構成している。
【００５２】
また、実施例２においては、前記柱１aの木口面２１に中空孔２より内径の大きなパイプ状のソケット埋め込み用の縦孔１９を穿設し、また、土台３や梁４の四方面２２に横孔２０を穿設して柱１aと土台３や梁４の接合部１３を構成し、
該縦孔１９や横孔２０にパイプ状のソケット１２a、１２ｂ、１２ｃ、１２ｄを埋め込んで接着剤にて固着して接手受け部１４を構成し、該接手受け部１４となるソケット１２a、１２ｂ、１２ｃ、１２ｄの端部はパイプ状の接続ソケット１５の嵌合用開口１７a、１７ｂと該縁部にジョイント接合部１３a、１３ｂを形成し、該ジョイント接合部１３a、１３ｂは相対向する面で凹凸部を設け土台３または柱１a、或いは柱１aまたは梁４どちらかが木口面２１または四方面２２よりセットバックして設け、該セットバックされた凹部２３に対し他のジョイント接合部１３a、１３ｂは突設して設けられており、前記凹凸部で互いにソケット１２a、１２ｂ、１２ｃ、１２ｄが接続ソケット１５にてジョイントされて嵌合している構造も可能である。
【００５３】
更にまた、実施例２を説明する図７においては、前記木口面２１または四方面２２よりセットバックして設けられた凹部２３に前記接続ソケット１５の外周部に設けられた鍔部２４が嵌合して柱１aと土台３や梁４の木材同士が剛接合しているよう構成した。
【００５４】
而して、本発明の実施例においては、前記パイプ状のソケット１２a、１２ｂ、１２ｃ、１２ｄ、並びにパイプ状の接続ソケット１５は鋼製パイプの削りだし加工や鋳鉄製の鋳物、或いは、ステンレスのロストワックス、アルミダイキャスト、繊維強化プラスチック、等にて製作されることで十分に使用に耐えうる軸組構造材を提供することができた。
【産業上の利用可能性】
【００５５】
斯くして、本発明は、木材を人工乾燥により短時間で最適乾燥させ、該木材の強度特性を均一化できる中空木材の利用範囲を拡大でき、中空木材の柱と土台、そして梁を貫通する連繋ボルト等の連結手段を用いた軸構造において、地震等により大きな力が加わっても接合部がずれて剛接合が損傷することのない木軸構造を提供する。
【００５６】
本発明は、木造建築における木材同士の接合部構造、即ち、土台と中空木材の柱、中空木材の柱と梁等の接合部において、木材のめりこみや割裂するの防止した軸組構造を提供でき、該軸組構造は、木造建築物の軸組でラーメン構造形式の軸組を容易に構築できるようにしたもので、その産業上の利用価値は頗る大きい。
【図面の簡単な説明】
【００５７】
【図１】本発明の木軸構造の組立例を示す正面図である。
【図２】実施例１に用いられる緊締用ボルト・ナットの説明図である。
【図３】実施例１に用いられるソケットの縦断面説明図である。
【図４】実施例１における木軸構造の組立例を説明する縦断面図である。
【図５】実施例１における土台と柱の接合部を説明する拡大断面図である。
【図６】実施例１における柱と梁の接合部を説明する拡大断面図である。
【図７】実施例２の説明図である。
【符号の説明】
【００５８】
１a、１ｂ  柱
２  中空孔
３  土台
４  梁
５  基礎
６  アンカーボルト
７  高ナット
８  連繋ボルト
９  座金
１０  緊締用ナット
１１  ねこ土台
１２a、１２ｂ、１２ｃ、１２ｄ  ソケット
１３  接合部
１３a、１３ｂ  ジョイント接合面
１４  接手受け部
１５  接続ソケット
１６a、１６ｂ  両端部
１７a、１７ｂ  嵌合用開口
１８  接着剤導入間隙
１９  縦孔
２０  横孔
２１  木口面
２２  四方面
２３  凹部
２４  鍔部
２５  切欠部
【図１】
2007009417.tif 000003
【図２】
2007009417.tif 000004
【図３】
2007009417.tif 000005
【図４】
2007009417.tif 000006
【図５】
2007009417.tif 000007
【図６】
2007009417.tif 000008
【図７】
2007009417.tif 000009